(57)【要約】【課題】ボード状の可動物上に乗る際の搭乗姿勢を安定な姿勢へと補正することができる姿勢補正体を提供する。【解決手段】姿勢補正体１は、ボード状の可動物上に乗る際の搭乗姿勢を補正するものであり、鎖骨部に配されるとともに顔Ｆのみを側方に向けた際に顎の付け根Ｂと頤Ｔとの間のフェイスラインＦＬに沿って当接する当接部２を有する。  そして、当接部２とフェイスラインＦＬとが当接する際に、頤Ｔと眉間中心とを結ぶ顔中心方向が可動物の搭乗面に対し垂直となる。  これにより、当接部２にフェイスラインＦＬを当接させることで、顔中心方向が搭乗面に対して垂直となり、搭乗姿勢を理想的な基本姿勢にすることができる。【選択図】図３
2019000493.tif 000002
【特許請求の範囲】
【請求項１】
ボード状の可動物上に乗る際の搭乗姿勢を補正するための姿勢補正体（１）であって、
鎖骨部に配されるとともに顔（Ｆ）のみを側方に向けた際に顎の付け根（Ｂ）と頤（Ｔ）との間のフェイスライン（ＦＬ）に沿って当接する当接部（２）を有し、前記当接部と前記フェイスラインとが当接する際に、前記頤と眉間中心とを結ぶ顔中心方向が前期可動物の搭乗面に対し垂直となることを特徴とする姿勢補正体。
【請求項２】
請求項１に記載の姿勢補正体において、
前記当接部は弾性体で形成されていることを特徴とする姿勢補正体。
【請求項３】
請求項２に記載の姿勢補助体において、
前記当接部は、発泡体であることを特徴とする姿勢補正体。
【請求項４】
請求項２に記載の姿勢補助体において
前記当接部は、中空ゴム製であることを特徴とする姿勢補正体。
【請求項５】
請求項１ないし請求項４のうちいずれか一つに記載の姿勢補正体において、
前記当接部は接続部（３）を介し衣服（Ｃ）に接続されていることを特徴とする姿勢補正体。
【請求項６】
請求項５に記載の姿勢補正体において、
前記当接部は、前記衣服から着脱自在となっていることを特徴とする姿勢補正体。
【請求項７】
請求項１ないし請求項６のうちいずれか一つに記載の姿勢補正体において、
前記当接部は左右の鎖骨部にそれぞれ配されていることを特徴とする姿勢補正体。
【発明の詳細な説明】
【技術分野】
【０００１】
本発明は、ボード状の可動物上に乗る際の搭乗姿勢を補正するための姿勢補正体に関する。
【背景技術】
【０００２】
スノーボード等のボード状の可動物上に乗る際においては、図４に示すような搭乗姿勢が基本姿勢となる。この基本姿勢においては、膝をやや曲げるとともに上体を猫背状に前傾させ、顔を進行方向である側方に向けている。この際、頤と眉間の中心とを結ぶ顔中心方向は、可動物の搭乗面に対して垂直となっており、可動物に均等に体重を分散させることができる。このため、可動物上に搭乗した際でも姿勢を安定させることができる。
【０００３】
しかし、上体を猫背状に前傾させると、背骨に連なる頸椎や頭部も前傾し、進行方向である側方に顔を向けた際に図５に示すようになることが自然である。
すなわち、図４に示すような基本姿勢を保つには、重力に抗し首を起こすとともに首等にやや力を込めておかなければならず、常にこのような基本姿勢を保つには常に意識しておく必要がある。
【０００４】
なお、図５に示すような搭乗姿勢では、可動物の一方端に体重がかかってしまい、例えば、スノーボードにおいては爪先側のエッジが立ってしまう等あり、可動物の動作が安定しない、搭乗者がバランスを崩しやすい等の問題があった。
【先行技術文献】
【非特許文献】
【０００５】
【非特許文献１】稲川  光伸  監修「ＤＶＤでみるみる上達スノーボードテクニック」  成美堂出版、２００４年１１月５日発行、Ｐ２２
【発明の概要】
【発明が解決しようとする課題】
【０００６】
本発明は、上記の問題点を解決するためになされたものであり、姿勢補正体によりボード状の可動物上に乗る際の搭乗姿勢を安定な姿勢へと補正することにある。
【課題を解決するための手段】
【０００７】
本願発明によれば、姿勢補正体は、ボード状の可動物上に乗る際の搭乗姿勢を補正するものである。
姿勢補正体は、鎖骨部に配されるとともに顔のみを側方に向けた際に顎の付け根と頤との間のフェイスラインに沿って当接する当接部を有する。
そして、当接部とフェイスラインとが当接する際に、頤と眉間中心とを結ぶ顔中心方向が可動物の搭乗面に対し垂直となる。
【０００８】
これにより、猫背状の前傾姿勢で可動物上に搭乗し進行方向である側方に顔を向けた際でも、当接部にフェイスラインを沿わせるように意識できる。このため、当接部にフェイスラインを当接させることで、顔中心方向が搭乗面に対して垂直となり、搭乗姿勢を基本姿勢にすることができる。
【図面の簡単な説明】
【０００９】
【図１】衣服に接続された姿勢補正体である（実施例）。
【図２】姿勢補正体の斜視図である（実施例）。
【図３】当接部とファイスラインとの当接説明図である（実施例）。
【図４】理想的な基本姿勢の説明図である（従来例）。
【図５】自然な搭乗姿勢の説明図である（従来例）。
【発明を実施するための形態】
【００１０】
以下、発明を実施するための形態を実施例に基づいて説明する。
【実施例】
【００１１】
本発明の実施例による姿勢補正体１を図１〜図３に示す。
姿勢補正体１は、スノーボード等のボード状の可動物上に乗る際の搭乗姿勢を補正するものである。
なお、ボード状の可動物とは、車輪を有さないスノーボード、サーフボード等であっても、車輪を有するＳボード、Ｊボード、スケートボード等であってもよい。
【００１２】
姿勢補正体１は、鎖骨部に配されるとともに顔Ｆのみを側方に向けた際に顎の付け根Ｂと頤Ｔとの間のフェイスラインＦＬに沿って当接する当接部２を有する（図３参照。）。
ここで、当接部２は接続部３を介し、衣服Ｃに接続している。
【００１３】
なお、接続部３は、いわゆる面ファスナーであり、当接部２に固定されるフック３ａと衣服Ｃに固定されるループ３ｂを有している。このため、当接部２は、衣服Ｃから着脱自在となっている。
また、姿勢補正体１は、左右の鎖骨部にそれぞれ配されている（図１参照。）。
【００１４】
ここで、姿勢補正体１について図２を用いて詳説する。
姿勢補正体１は、当接部２とフック３ａを備える。
ここで、当接部２は弾性体である発泡体で形成されている。
なお、当接部２は、中空ゴム製であってもよい。
【００１５】
当接部２は、半円柱状の基部２ａと基部２ａの径方向に突出する突出部２ｂとを有する。
ここで突出部２ｂは基部２ａの半円柱状の円柱外周面に配される直方体である。そして、突出部２ｂの基部２ａの軸方向の長さは基部２ａの軸方向の長さと等しくなっており、基部２ａの軸方向における基部２ａと突出部２ｂの両端面は面一となっている。
【００１６】
なお、基部２ａ、突出部２ｂともに顔Ｆ側が一部切りかかれ、顔Ｆ側に向かって傾斜するテーパ面が形成されている。このため、顔Ｆのみを側方に向けた際にファイスラインＦＬが当接部２にスムースに当接するようになっている。
【００１７】
[実施例の特徴]
ここで、実施例の特徴的な構成について図３を用いて説明する。
なお、図３は、顔Ｆのみを側方に向けた際の当接部２とファイスラインＦＬの当接の様子を示している。
より具体的な当接の態様は、上体を前傾させているため、当接部２は、鎖骨とファイスラインＦＬとによって狭持される態様となっている。
【００１８】
そして、当接部２とファイスラインＦＬとが当接する際、頤Ｔと眉間中心とを結ぶ顔中心方向が可動物の搭乗面に対し垂直となっている。
なお、図示左右方向が可動物の搭乗面に沿った方向となっている。
【００１９】
［実施例の効果］
姿勢補正体１は、鎖骨部に配されるとともに顔Ｆのみを側方に向けた際に顎の付け根Ｂと頤Ｔとの間のフェイスラインＦＬに沿って当接する当接部２を有する。
そして、当接部２とフェイスラインＦＬとが当接する際に、頤Ｔと眉間中心とを結ぶ顔中心方向が可動物の搭乗面に対し垂直となる。
【００２０】
これにより、猫背状の前傾姿勢で可動物上に搭乗し進行方向である側方に顔Ｆを向けた際でも、当接部２にフェイスラインＦＬを沿わせるように意識できる。このため、当接部２にフェイスラインＦＬを当接させることで、顔中心方向が搭乗面に対して垂直となり、搭乗姿勢を理想的な基本姿勢にすることができる。
【００２１】
姿勢補正体１は、当接部２が弾性体で形成されている。
これにより、転倒時においても当接部２が弾性変形することで、顔Ｆや鎖骨へのダメージを軽減できる。
【００２２】
姿勢補正体１は、当接部２が接続部３を介して衣服Ｃに接続されている。
これにより、衣服Ｃと姿勢補正体１とが一体となっているため、衣服Ｃを着衣するだけで姿勢補正体１を鎖骨位置に配することができる。
【００２３】
姿勢補正体１は、接続部３が面ファスナーであり、当接部２が衣服Ｃから着脱自在となっている。
これにより、衣服Ｃを、姿勢補正体１付きの状態と姿勢補正体１無しの状態とを選択することができる。
さらに、接続部３が面ファスナー等であると、転倒時においても姿勢補正体１が衣服Ｃから外れることで、顔Ｆや鎖骨へのダメージを軽減できる。
【００２４】
さらに、姿勢補正体１は左右の鎖骨部にそれぞれ配されている。
これにより、右側、左側いずれの側方に顔Ｆのみを向けた際でも、当接部２にフェイスラインＦＬを沿わせるように意識できる。
【００２５】
［変形例］
本発明は、その要旨を逸脱しない範囲で様々な変形例を考えることができる。
実施例において、接続部３は面ファスナーであったが、接続部３を線ファスナー等の構成としてもよい。また、当接部２を直接衣服Ｃに縫い付けて、衣服Ｃに接続する構成であってもよい。
【００２６】
また、実施例においては当接部２は、半円柱状の基部２ａと基部２ａの径方向に突出する突出部２ｂから構成されていたが、この形状に拘るものではなく、ファイスラインＦＬに沿う形状であればよい。
【符号の説明】
【００２７】
１  姿勢補正体  ２  当接部  Ｆ  顔  Ｂ  顎の付け根  Ｔ  頤  ＦＬ  ファイスライン
【図１】
2019000493.tif 000003
【図２】
2019000493.tif 000004
【図３】
2019000493.tif 000005
【図４】
2019000493.tif 000006
【図５】
2019000493.tif 000007